(57)【要約】【課題】遊技パターンが画一的な従来の羽根物遊技機に代わる風車体を備えた遊技機を提供する。【解決手段】枠型の入賞装置２０の上部を大きく開口し、該開口の開口度合いを変化させる風車体２３を備えた。適宜風車体２５を様々なパターンで回動させることにより、入賞装置２０内に遊技球を効率よく入賞させることができる。また、始動入賞口２９を遊技領域の各所に配設し、風車体２５の回転動作と連動させた。【選択図】図１
2014161716.tif 000002
【特許請求の範囲】
【請求項１】
遊技領域内に遊技球が入賞可能な入賞装置を備えた遊技機であって、
前記入賞装置は、上部が開口するとともに内部には特定入賞口を有し、開口の近傍に、該開口の開口度合いを変化させる風車体を回動自在に軸支し、
前記特定入賞口に遊技球が入賞すると、前記風車体は遊技球を前記入賞装置内に入賞し易くする向きに回転することを特徴とする遊技機。
【請求項２】
前記特定入賞口は複数であり、
各特定入賞口ごとに前記風車体の回転態様が異ならせたことを特徴とする請求項１に記載の遊技機。
【請求項３】
前記風車体は少なくとも２基並設したものであって、異なる前記風車体間の羽根の先端の間隙を遊技球の直径よりも小さく、または、大きくしたことを特徴とする請求項１または２に記載の遊技機。
【請求項４】
遊技領域内に始動入賞口を複数配設し、
該始動入賞口に遊技球が入賞すると、各始動入賞口に対応して前記風車体の所定回数回転動作を行い、前記入賞装置内の前記特定入賞口に遊技球が入賞すると、前記風車体を回転動作させることによって賞球を行うことを特徴とする請求項１，２または３に記載の遊技機。
【請求項５】
前記入賞装置は左右の両側にそれぞれ左右に開く可動翼を備え、
前記始動入賞口に遊技球が入賞すると、各始動入賞口に対応して前記風車体の回転動作および前記可動翼の開閉動作を所定回数行い、前記入賞装置内の前記特定入賞口に遊技球が入賞すると、前記風車体を回転動作させることによって賞球を行うことを特徴とする請求項４に記載の遊技機。
【請求項６】
遊技領域内に各種表示態様が表示可能な可変表示部を有し、
前記特定入賞口に遊技球が入賞すると、前記可変表示部は表示態様の変動表示を行い、特定の表示態様が確定すると、該特定の表示態様に対応して、前記風車体は遊技球を入賞装置内に入賞し易くする向きに回転することを特徴とする請求項１，２，３，４または５に記載の遊技機。
【請求項７】
遊技領域内に大入賞口を配設し、
前記特定入賞口に遊技球が入賞すると、前記大入賞口の開動作を行うことにより、賞球を行うことを特徴とする請求項１，２，３，４，５または６に記載の遊技機。
【請求項８】
前記始動入賞口はスルーチャッカーであることを特徴とする請求項４，５，６，７または８に記載の遊技機。
【請求項９】
前記風車体の上方および／または側方に補助風車体を配設し、
前記特定入賞口に遊技球が入賞すると、該補助風車体は、前記風車体の羽根内に遊技球を導入し易い向きに回転することを特徴とする請求項１，２，３，４，５，６，７または８に記載の遊技機。
【発明の詳細な説明】
【技術分野】
【０００１】  本発明は、遊技領域上に遊技球が入賞可能な入賞装置を備えた遊技機に関する。
【背景技術】
【０００２】  従来、この種のパチンコ遊技機の中に、いわゆる「ヒコーキ」、「羽根物」と呼ばれるパチンコ遊技機（以下「羽根物遊技機」という）がある（図１９参照）。
羽根物遊技機では、始動入賞口に遊技球が入賞すると、第２種役物装置である一対の可動片を備えた可変入賞部の可動片が開放状態となり、最大開閉動作を１８回行う、または１０個等の所定数の遊技球が可変入賞部の内部にある入賞口に取り込まれた時点で可動片を閉じるようになっている。また、可動片が開いている間に取り込まれた遊技球が入賞口内の一部に設けられたＶゾーンと呼ばれる特定領域に入賞すると、可動片が最大回数（通常は１５回）を限度に再度、所定の大当たり動作を継続するようになっている（特許文献１、特許文献２）。
【先行技術文献】
【特許文献】
【０００３】
【特許文献１】特開平５−８４３４５号公報
【特許文献２】特開平２−１３６１５２号公報
【発明の概要】
【発明が解決しようとする課題】
【０００４】  しかしながら、従来のこの種の羽根物遊技機においては、始動入賞口に入賞、羽根の開閉、特定領域への入賞という遊技パターンが均一化されているので、遊技に躍動感が乏しく、遊技に対する興趣が低下していた。【０００５】  また、天釘に当たって流下する遊技球は、タイミングよく可動翼が開いている間しか入賞する可能性がないので、遊技者の技量が発揮するのが困難で、中央の入賞装置の可動片の開閉のみという構成は、単純でつまらないという指摘もなされていた。【０００６】  さらに、入賞（払い出し）のペースは主として可変入賞部の両端の可動片の開動作により内部へ導入された遊技球のみによるのであって、大当たりした際の賞球の（時間あたりの）効率は低く、近年特に確率変動機能つきの短時間で大量の大当たりが出る遊技機に対して大きく見劣りしているという問題点もあった。【０００７】  本発明は、上記の事情に鑑み、主たる役物装置（センター役物）として、上部が開口した入賞装置を採用し、上部開口の近傍に風車体を配設して、遊技球の流れを不均一化して、遊技が単調になるのを防ぎ、さらに、特定入賞口や始動入賞口などと連動して風車体をさまざまな向きに回転させることにより入賞装置内に遊技球を導入し易くし、遊技に躍動感をもたらし単調さを廃し、もって遊技の興趣を高めた遊技機を提供することを目的としている。
【課題を解決するための手段】
【０００８】  前述した目的を達成するための本発明の要旨とするところは、以下の各項の発明に存する。
［１］遊技領域（１１）内に遊技球が入賞可能な入賞装置（２０）を備えた遊技機（１０）であって、
前記入賞装置（２０）は、上部が開口するとともに内部には特定入賞口（２１）を有し、開口（２３）の近傍に、該開口（２３）の開口度合いを変化させる風車体（２５）を回動自在に軸支し、
前記特定入賞口（２１）に遊技球が入賞すると、前記風車体（２５）は遊技球を前記入賞装置（２０）内に入賞し易くする向きに回転することを特徴とする遊技機（１０）。【０００９】  ［２］前記特定入賞口（２１）は複数であり、
各特定入賞口（２１）ごとに前記風車体（２５）の回転態様が異ならせたことを特徴とする［１］に記載の遊技機（１０）。【００１０】  ［３］前記風車体（２５）は少なくとも２基並設したものであって、異なる前記風車体（２５）間の羽根（２６）の先端の間隙を遊技球の直径よりも小さく、または、大きくしたことを特徴とする［１］または［２］に記載の遊技機（１０）。【００１１】  ［４］遊技領域（１１）内に始動入賞口（２９ａ，２９ｂ，２９ｃ）を複数配設し、
該始動入賞口（２９ａ，２９ｂ，２９ｃ）に遊技球が入賞すると、各始動入賞口（２９ａ，２９ｂ，２９ｃ）に対応して前記風車体（２５）の所定回数回転動作を行い、前記入賞装置（２０）内の前記特定入賞口（２１）に遊技球が入賞すると、前記風車体（２５）を回転動作させることによって賞球を行うことを特徴とする［１］，［２］または［３］に記載の遊技機（１０）。【００１２】  ［５］前記入賞装置（２０）は左右の両側にそれぞれ左右に開く可動翼（２４）を備え、
前記始動入賞口（２９ａ，２９ｂ，２９ｃ）に遊技球が入賞すると、各始動入賞口（２９ａ，２９ｂ，２９ｃ）に対応して前記風車体（２５）の回転動作および前記可動翼（２４）の開閉動作を所定回数行い、前記入賞装置（２０）内の前記特定入賞口（２１）に遊技球が入賞すると、前記風車体（２５）を回転動作させることによって賞球を行うことを特徴とする［４］に記載の遊技機（１０）。【００１３】  ［６］遊技領域（１１）内に各種表示態様が表示可能な可変表示部（３１）を有し、
前記特定入賞口（２１）に遊技球が入賞すると、前記可変表示部（３１）は表示態様の変動表示を行い、特定の表示態様が確定すると、該特定の表示態様に対応して、前記風車体（２５）は遊技球を入賞装置（２０）内に入賞し易くする向きに回転することを特徴とする［１］，［２］，［３］，［４］または［５］に記載の遊技機（１０）。【００１４】  ［７］遊技領域（１１）内に大入賞口（３０）を配設し、
前記特定入賞口（２１）に遊技球が入賞すると、前記大入賞口（３０）の開動作を行うことにより、賞球を行うことを特徴とする［１］，［２］，［３］，［４］，［５］または［６］に記載の遊技機（１０）。【００１５】  ［８］前記始動入賞口（２９）はスルーチャッカー（２９ｃ，２９ｄ，２９ｅ）であることを特徴とする［４］，［５］，［６］，［７］または［８］に記載の遊技機（１０）。【００１６】  ［９］前記風車体（２５）の上方および／または側方に補助風車体（２８）を配設し、
前記特定入賞口（２１）に遊技球が入賞すると、該補助風車体（２８）は、前記風車体（２５）の羽根（２６）内に遊技球を導入し易い向きに回転することを特徴とする［１］，［２］，［３］，［４］，［５］，［６］，［７］または［８］に記載の遊技機（１０）。【００１７】  前記本発明は、次のように作用する。
前記［１］〜［３］に記載の遊技機（１０）によれば、遊技領域（１１）上に風車体（２５）を備えた入賞装置（２０）が配設される。風車体（２５）は開口（２３）の近傍に回動自在に軸支されており、入賞装置（２０）の上部に形成された開口（２３）を閉じたり開いたり変化させることができる。すなわち、風車体（２５）を回動させることにより、羽根（２６）が入賞装置（２０）の上部開口（２３）を開いた状態にしたり、閉じた状態にしたりする。これにより、遊技領域（１１）上を流下する遊技球はタイミングよく風車体（２３）に入った場合は、入賞装置（２０）内の入賞口（２１，２２）に入賞し、タイミング悪く風車体（２５）に入らなかった場合は、弾かれて左右に跳ねてさらに盤面の下方に流下したりすることとなり、遊技球の流れを不均一化して遊技の興趣を高めることができる。【００１８】  また、入賞装置（２０）に備えられた風車体（２５）は、流下する遊技球の衝突により、自由に回転する状態に置かれるとともに、駆動機構を有しており、強制的に回転させることができ、これにより、遊技球を入賞装置（２０）内に入り易くしたり、入り難くしたりすることができる。特に風車体（２５）を左右に２基並設した場合においては、左に配置された風車体（２５）の回転方向を右向きとし、右に配置された風車体（２５）を左向きとすることにより、より多くの遊技球を入賞装置（２０）の中に導入する賞球動作とすることができる。さらに、異なる風車体（２５）間の羽根どうしの隙間を遊技球の直径の長さより多くしたり小さくしたりすることができる。これにより、さらに入賞装置（２０）内に導入される遊技球の数を異ならせることができる。【００１９】  加えて、入賞装置（２０）内には特定入賞口（２１）を有しており、これにより、特定入賞口（２１）に遊技球が入ったときに風車体（２５）を遊技球が入賞装置（２０）内に入り易い向きに回転させるなどの遊技動作の契機とすることができる。また、特定入賞口（２１）を複数設けた遊技機（１０）にあっては、それぞれの特定入賞口（２１）に対応して、風車体（２５）の回転態様を異ならせることができる。すなわち、風車体（２５）の回転速度を速くしたり、遅くしたりする、回転数を変えるなどして遊技動作の態様を変えることができる。これにより、遊技により多くのバリエーションを与え、遊技者の興趣を高めることができる。【００２０】  前記［４］に記載の遊技機（１０）によれば、遊技領域（１１）内に、始動入賞口（２９）を配設した。これにより、始動入賞口（２９）に遊技球が入ったときに風車体（２５）を遊技球が入賞装置（２０）内に入り易い向きに回転させるなどの遊技動作の契機とすることができる。特に始動入賞口（２９）を入賞装置（２０）とは離れた位置の遊技領域（１１）内の各所に分散した場合、遊技者はそれぞれの場所に狙って遊技球を発射させることとなり、遊技の単調さを廃すことができる。【００２１】  前記［５］に記載の遊技機（１０）によれば、前述の風車体による入賞に加えて可動翼（２４）を設けて、入賞装置（２０）内に遊技球を導入することができる。これにより、より多くの遊技球を短時間に賞球することが可能となり、遊技により多くのバリエーシ���ンを与え遊技者の興趣を高めることができる。また、従来の羽根物遊技機に慣れている遊技者も違和感なく遊技を楽しむことができる。【００２２】  前記［６］に記載の遊技機（１０）によれば、遊技領域（１１）上に各種表示態様の表示が可能な可変表示部（３１）を有しており、特定入賞口（２１）に遊技球が入賞すると、可変表示部（３１）は表示態様の変動表示を行い、変動表示が停止して特定の表示態様が確定すると、特定の表示態様に対応して、風車体（２５）は回転速度や方向、回転数を変化させる。これにより、特定の表示態様に応じた賞球が可能となり遊技者に抽選の期待を持たせて興趣を高めることができる。【００２３】  前記［７］に記載の遊技機（１０）によれば、遊技領域（１１）上には、大入賞口（３０）を備えている。これにより、特定入賞口（２１）に遊技球が入賞した場合、前述した可変表示部（３１）に特定の表示態様が変動表示の結果、確定した場合などに、大入賞口（３０）の開動作を行って賞球をすることができる。大量入賞可能となり、賞球付与の処理を迅速に行うことができる。【００２４】  前記［８］に記載の遊技機（１０）によれば、始動入賞口（２９ａ，２９ｂ，２９ｃ）をスルーチャッカー（２９ｃ，２９ｄ，２９ｅ）により構成した。これにより、流下する遊技球をその途中で補足してその他の遊技動作の契機とすることができるので、遊技にバリエーションを与えて興趣を高めることができる。特に風車体（２５）の近くの上方にスルーチャッカー（２９ｃ，２９ｄ，２９ｅ）を設けた場合、流下の流れとともに遊技が展開されるので、遊技者にもわかり易くすることができる。【００２５】  前記［９］に記載の遊技機（１０）によれば、風車体（２５）の上方および／または側方に補助風車体（２８）を配設しており、これにより、遊技内容のバリエーションを多岐に渡らせて遊技者の興趣を増大させることができる。
【発明の効果】
【００２６】  本発明に係る遊技機（１０）によれば、上部が開口した入賞装置を採用し、上部開口の近傍に風車体を配設したことにより、遊技球の流れを不均一化して遊技が単調になるのを防ぎ、また、風車体を回転速度、方向、回数をさまざまに変えることにより、遊技内容を多岐に渡らせることができる。
【図面の簡単な説明】
【００２７】
【図１】  本発明の第１実施の形態に係る遊技機（１０）を示す正面図である。
【図２】  本発明の第１実施の形態に係る遊技機（１０）の別の例を示す正面図である。
【図３】  本発明の第１実施の形態に係る遊技機（１０）の別の例を示す正面図である。
【図４】  本発明の第２実施の形態に係る遊技機（１０）を示す正面図である。
【図５】  本発明の第２実施の形態に係る遊技機（１０）の別の例を示す正面図である。
【図６】  本発明の第２実施の形態に係る遊技機（１０）の別の例を示す正面図である。
【図７】  本発明の第２実施の形態に係る遊技機（１０）の別の例を示す正面図である。
【図８】  本発明の第２実施の形態に係る遊技機（１０）の別の例を示す正面図である。
【図９】  本発明の第２実施の形態に係る遊技機（１０）の別の例を示す正面図である。
【図１０】  本発明の第２実施の形態に係る遊技機（１０）の別の例を示す正面図である。
【図１１】  本発明の第３実施の形態に係る遊技機（１０）を示す正面図である。
【図１２】  本発明の第３実施の形態に係る遊技機（１０）の別の例を示す正面図である。
【図１３】  本発明の第３実施の形態に係る遊技機（１０）の別の例を示す正面図である。
【図１４】  本発明の第３実施の形態に係る遊技機（１０）の別の例を示す正面図である。
【図１５】  本発明の第３実施の形態に係る遊技機（１０）の別の例を示す正面図である。
【図１６】  本発明の第３実施の形態に係る遊技機（１０）の別の例を示す正面図である。
【図１７】  本発明の第３実施の形態に係る遊技機（１０）の別の例を示す正面図である。
【図１８】  本発明の第３実施の形態に係る遊技機（１０）の別の例を示す正面図である。
【図１９】  従来の遊技機の例を示す正面図である。
【発明を実施するための形態】
【００２８】  以下、図面に基づき、本発明を代表する各種実施の形態を説明する。
図１〜図３は、本発明の第１実施の形態に係る遊技機１０を示している。
遊技機１０は、遊技領域１１上に遊技球を打ち出して遊技を行うパチンコ機である。遊技機１０は、打ち出された遊技球が落下して遊技を進行させる役物等が取り付けられた遊技領域１１と、該遊技領域１１の正面を覆うガラスを固定するガラス枠等を有している。
【００２９】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００３０】  遊技領域１１の正面視において左側端縁を区画する位置には、前記ハンドル１６の回転操作により打ち出された遊技球を遊技領域１１の上方へ導くための外レールが設けられている。遊技領域１１には、前記外レールより放出された遊技球が落下する経路に変化を与えるための天釘１２を含む遊技釘の他、遊技領域１１の略中央に風車体２５を備えた入賞装置２０、入賞装置２０の下方には入賞装置２０を略Ｖ字型に取り囲むように一般入賞装置３５が５基設けられている。また最下部には、何れの入賞口、入賞装置にも入らず落下した遊技球を排出するためのアウト球口１３が設けられている。
【００３１】  加えて、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、後述する入賞装置２０や表示遊技、特別遊技状態を制御する等の様々な機能を有している。ここで、制御手段は各種入賞口に遊技球が入賞した際に賞出信号を機内部にある計数機に出力して、各種入賞口ごとに予め割り当てられている所定数の遊技球を計数機から上皿１４に払い出させるように構成してもよい。
【００３２】  次に、本発明の根幹を成す風車体２５を備えた入賞装置２０について説明する。
図１に示すように、入賞装置２０は、遊技機１０の主たる役物装置として遊技領域１１の略中央に配設される。その上端には左右両端に亘って開口２３が形成され、全体を凵形状とし、内部であってその最下部には入賞装置２０内に入った遊技球を入賞させる複数または単数入賞口を備えており、その一部又は全てを特定入賞口２１または普通入賞口２２として、後述するその他の遊技動作と連動させている。
【００３３】  入賞装置２０の上部開口２３の近傍には、風車体２５が回動自在に軸支される。ここで、近傍とは、風車体２５の羽根２６を回動させることにより、風車体２５が流下する遊技球と衝突して、羽根２６内に巻き込んで入賞装置２０内に導入したり、外に弾いたりすることのできる距離であり、羽根２６が入賞装置２０の開口２３と干渉しない範囲に設定される。羽根２６の長さが長い場合、広い範囲の遊技球が入賞装置２０内に取り込まれることとなる。
【００３４】  図１に示すように、風車体２５は入賞装置２０の上方に左右に並んで配設される。左右の風車体２５は、通常時は、流下する遊技球の衝突によって自由に回転できるように設定されている他、後述する様々な遊技状態（特定入賞口２１に遊技球が入賞した場合など）では、それぞれ左回転、右回転して遊技球を入賞装置２０内に取り込んだり、外に弾いたりする。特に左の風車体２５の回転方向を右にし、右の風車体２５の回転方向を左にした場合には、羽根２６によって流下する遊技球を風車体２５の中に巻き込んで、より多くの遊技球を入賞装置２０内に取り込むこととなる。
【００３５】  風車体２５の回転は、前述した制御手段によって制御し、方向だけでなく回転の速さ、所定の遊技状態での回転数、回転パターンなどがそれぞれ設定可能に構成される。また、風車体２５は駆動機構とともにクラッチ機構を備えており、クラッチ機構により駆動機構と風車体２５の伝達が切れている場合には回動自在となり、流下する遊技球が風車体２５に衝突したときにその力によって自由に回転する状態で、当該状態のときは回転に際する抵抗は最小化されている。また、風車体２５は任意の位置で静止状態にすることもできる。特定の遊技状態で、開口２３との間に広い隙間がある位置に静止させて賞球の一態様とすることが可能となる。
【００３６】  さらに、風車体２５を複数配設した場合、それぞれの風車体２５間に適切な隙間をとることにより、入賞のし易さを設定することが可能となる。遊技球の直径より小さくした場合は、偶然に遊技球が入る可能性は小さくなる一方、広く設定した場合は、風車体２５の回転と関係なく、遊技球が入る可能性は大きくなる。また、隣り合う風車体２５の回転に位相差を設け、風車体２５どうしが干渉しないように駆動機構を構成することにより、風車体２５どうしをより近づけることも可能である。
【００３７】  入賞装置２０の内部であってその最下部には、特定入賞口２１が設けられる。これにより、特定入賞口２１に遊技球が入賞したときに、風車体２５を遊技球の導入し易い向きに回転させて入賞装置２０内に取り込んで、賞球することができる。また、図２に示すように、特定入賞口２１を複数（図２では３箇所）備えることもできる。
【００３８】  本実施の形態に係る遊技機１０は、図３に示すように、可変表示部３１を備える構成としても良い。この場合、特定入賞口２１に遊技球が入賞することにより、可変表示部３１は表示態様の変動表示を行い、変動表示が停止して特定の表示態様が確定すると、特定の表示態様に対応して、風車体２５を遊技球が入賞しやすい向きに回転させて賞球動作とするものである。
【００３９】  具体的に風車体２５の回転パターンの例を述べると、特定の表示態様が「７」「７」である場合に左の風車体２５を右向きに、右の風車体２５を左向きにそれぞれ３回転する。特定の表示態様が「５」「５」である場合に左の風車体２５を右向きに、右の風車体２５を左向きにそれぞれ２回転する。特定の表示態様が「５」「５」である場合に左の風車体２５を右向きに、右の風車体２５を左向きにそれぞれ２回転する。特定の表示態様が「３」「３」である場合に左の風車体２５を右向きに、右の風車体２５を左向きにそれぞれ１回転する。
【００４０】  特定の表示態様が「７」「７以外」である場合に左の風車体２５を右向きに、右の風車体２５を右向きにそれぞれ３回転する。特定の表示態様が「５」「５以外」である場合に左の風車体２５を右向きに、右の風車体２５を右向きにそれぞれ２回転する。特定の表示態様が「３」「３以外」である場合に左の風車体２５を右向きに、右の風車体２５を右向きにそれぞれ１回転する。
【００４１】  特定の表示態様が「７以外」「７」である場合に左の風車体２５を左向きに、右の風車体２５を左向きにそれぞれ３回転する。特定の表示態様が「５以外」「５」である場合に左の風車体２５を左向きに、右の風車体２５を左向きにそれぞれ２回転する。特定の表示態様が「３以外」「３」である場合に左の風車体２５を左向きに、右の風車体２５を左向きにそれぞれ１回転する。
【００４２】  また、遊技領域１１上には、特定入賞口保留球表示部３２を備えている。特定入賞口２１に入った現状での（累積ではない）未処理の保留球の数を遊技者に知らしめるものである。
【００４３】  次に、遊技機１０の作用を説明する。
遊技者はハンドル１６を打ち出し力に応じて回転操作することで球発射装置（図示省略）により、遊技領域１１上に遊技球を打ち出して遊技を行う。遊技球は所定の間隔をもって次々に打ち出され、天釘１２をはじめ遊技領域１１上のさまざまな部位に衝突しながら下方に落下（流下）をする。
【００４４】  風車体２５は、遊技球に衝突されて回転自在状態であり、一部の遊技球を巻き込んで、入賞装置２０の外部にこぼれ落ちずに残ったものが、入賞装置２０内に入り、普通入賞口２２または特定入賞口２１に入る。
【００４５】  すなわち、特定入賞口２１に遊技球が入賞することにより、風車体２５を所定のパターンで回転させたり、可動翼２４の開動作を行ったり、遊技領域１１上に配設された一般入賞装置３５の開動作をしたり、可変表示部３１により抽選遊技を行ったり、大入賞口３０を開動作し賞球を行うなどする。特定入賞口２１を複数も受けた場合、特定入賞口２１それぞれに対応して遊技動作を設定して、さまざまなバリエーションを演出し遊技者を楽しませることができる。
【００４６】  本実施の形態の遊技機１０によれば、入賞装置２０は、遊技領域１１上の上部の天釘に近い位置に配置することができる。従来の始動入賞口までの距離が長い場合に、遊技領域上に打ち込まれて滞留している遊技球の数が多く、遊技球が入賞するかどうかの帰趨が決するまでの処理に時間がかかるのと異なり、この場合、開口２３および風車体２５は天釘のごく近い位置に配されることになり、遊技者は天釘およびその近傍を狙って遊技を開始できるので、上部の開口２３から遊技球を効率良く入賞装置２０内部に取り込むことができる。
【００４７】  図４〜８は第２の実施の形態に係る遊技機１０を示している。なお、前述した第１の実施の形態と同種の部位には同一の符号をつけて説明を省略する。
第２の実施の形態に係る遊技機１０は、図４〜８に示すように、始動入賞口２９ａ，２９ｂ，２９ｃを備えている点において、前述した第１の実施の形態と相違する。
【００４８】  図４は、入賞装置２０の下方に３箇所の始動入賞口２９ａ，２９ｂ，２９ｃを配設した様子を示している。遊技者は、始動入賞口２９を狙って遊技球を投入することで遊技をスタートし、始動入賞口２９ａ，２９ｂ，２９ｃに遊技球が入ると、始動入賞口２９ａ，２９ｂ，２９ｃに対応して風車体２５は所定の遊技動作を開始する。例えば、左の始動入賞口２９ａに遊技球が入賞した場合は、風車体２５を１回転し、中央の始動入賞口２９ｂに遊技球が入賞した場合は、風車体２５を２回転し、右の始動入賞口２９ｃに遊技球が入賞した場合は、風車体２５を３回転するなどである。さらに、入賞装置２０内の特定入賞口２１に入った場合に風車体２５を１０回転するなどと設定しても良い。
【００４９】  図５は、以上の構成に加えて、入賞装置２０の左右の両端に可動翼２４，２４を備えた様子を示している。風車体２５の回転動作に加えて可動翼２４，２４の開動作を組み合わせることで、別の賞球動作の態様とすることができる。また、従来の羽根物遊技機に慣れている遊技者も違和感無く遊技を楽しむことができる。
【００５０】  図６は、前述の構成に加えて、可変表示部３１を備えた様子を示している。可変表示部３１については、前述したので重複した説明は省略するが、始動入賞口２９に入賞させる可変表示をスタートし、可変表示の態様よって風車体２５の回転、可動翼２４の開動作によって賞球を行う。これにより、遊技者に抽選の期待を持たせて興趣を高めることができる。
【００５１】  図７，８は、前述した構成に変えて、大入賞口３０を備えた様子を示している。この場合入賞装置２０による賞球に加えて大入賞口３０による賞球することができるので、より多くの遊技球を短時間に賞球させることができる。
【００５２】  図９，１０は、前述した始動入賞口２９の構成に変えてスルーチャッカー２９ｄ，２９ｅを備えた様子を示している。これにより、スルーチャッカーを契機として風車体２５の回転動作を行い、その後、入賞装置２０内の特定入賞口２１に入賞により、大入賞口３０の開動作を行って賞球をする。遊技内容のバリエーションを多岐に亘らせることを可能となる。特に、遊技者にとっては、遊技球の狙いが上から下に移動していくので、わかり易く遊技の流れが良い。
【００５３】  図１１〜１８は第３の実施の形態に係る遊技機１０を示している。なお、前述した第１，２の実施の形態と同種の部位には同一の符号をつけて説明を省略する。
第３の実施の形態に係る遊技機１０は、図１１〜１８に示すように、補助風車体２８を備えている点において前述した第１，２の実施の形態の遊技機１０と相違する。また、補助風車体２８は風車体２５と同様に制御手段によって制御される駆動機構を備えており、自律的に回転可能に構成されている。
【００５４】  図１１は、風車体２５の左右の両側に補助風車体２８を備えた様子を示している。
前述したように風車体２５は、任意の位置に停止させることができるので、風車体２５と左右の開口２３の端部との間に隙間を生じさせた状態で停止させて、補助風車体２８を回転させてやることにより入賞装置２０内に遊技球を導入させることによって賞球を行うものである。
【００５５】  図１２〜図１４は、風車体２５の上方に適当な数（４箇所，１箇所，３箇所）の補助風車体２８を配設した様子を示している。いずれの補助風車体２８も所定のタイミングで回転させて、流下する遊技球の流れを風車体２５方向に変えて入賞装置２０内に遊技球を導入し易くすることができる。
【００５６】  図１５〜図１８は、図１１に示した遊技機１０に前述した可変表示部３１、大入賞口３０、可動翼２４の一部または全てを適宜選択的に備えた遊技機１０の変形例の様子を示している。特定入賞口２１への遊技球の入賞によって可変表示を開始し、変動表示の結果確定した特定の表示態様に対応して大入賞口３０または／若しくは可動翼２４の開動作によって賞球を行うものである。遊技内容のバリエーションをより多岐にわたらせることができる。
【００５７】  以上、本発明の実施の形態を図面によって説明してきたが、具体的な構成はこれらの実施の形態に限られるものではなく、本発明の要旨を逸脱しない範囲における変更や追加があっても本発明に含まれる。前述した第１の実施の形態では、大入賞口３０と可変入賞部３１は同時に備えたものを示さなかったが、同時に備えるものとしてもよい。特定入賞口２１に連動した可変入賞部３１の結果により大入賞口３０の開動作を行うなどすればよい。
【産業上の利用可能性】
【００５８】  本発明に係る遊技機はパチンコ機に限らず、プログラム制御されるスマートボールゲーム機、アレンジボールゲーム機といった他の遊技機にも同様に適用することができる。
【符号の説明】
【００５９】１０…遊技機
１１…遊技領域
１２…天釘
１３…アウト球口
１４…上皿
１５…下皿
１６…ハンドル
２０…入賞装置
２１…特定入賞口
２２…普通入賞口
２３…開口
２４…可動翼
２５…風車体
２６…羽根
２７…回転軸
２８…補助風車体
２９ａ…始動入賞口
２９ｂ…始動入賞口
２９ｃ…始動入賞口
２９ｄ…スルーチャッカー
２９ｅ…スルーチャッカー
３０…大入賞口
３１…可変表示部
３２…特定入賞口保留球表示部
３５…一般入賞装置
【図１】
2014161716.tif 000003
【図２】
2014161716.tif 000004
【図３】
2014161716.tif 000005
【図４】
2014161716.tif 000006
【図５】
2014161716.tif 000007
【図６】
2014161716.tif 000008
【図７】
2014161716.tif 000009
【図８】
2014161716.tif 000010
【図９】
2014161716.tif 000011
【図１０】
2014161716.tif 000012
【図１１】
2014161716.tif 000013
【図１２】
2014161716.tif 000014
【図１３】
2014161716.tif 000015
【図１４】
2014161716.tif 000016
【図１５】
2014161716.tif 000017
【図１６】
2014161716.tif 000018
【図１７】
2014161716.tif 000019
【図１８】
2014161716.tif 000020
【図１９】
2014161716.tif 000021